(57)【要約】  物体１０２との対話に基づいて制御可能なデバイス１０４を制御するためのウェアラブルデバイス１００が開示されている。前記ウェアラブルデバイス１００は、前記物体１０２の近接を検出するためのデバイス検出ユニット１０６と、前記ウェアラブルデバイス１００を着用しているユーザの、前記物体１０２との対話を示す動作を検出するための動作検出ユニット１１２と、前記物体１０２の検出された前記近接及び前記物体１０２との対話を示す前記動作に基づいて前記制御可能なデバイス１０４を制御するための制御コマンドを生成するための処理ユニット１０８とを有する。前記ウェアラブルデバイス１００は、前記制御コマンドを前記制御可能なデバイス１０４に送信するための通信ユニット１１０を更に有する。それによって、前記ウェアラブルデバイス１００は、前記物体１０２の使用を検出し、環境に関連する使用状況をもたらすよう前記制御可能なデバイス１０４の制御パラメータを調節することができる。このことは、前記制御可能なデバイス１０４の制御を改善することができ、このことは、前記ウェアラブルデバイス１００と、前記制御可能なデバイス１０４と、前記物体１０２との間の新たな対話の可能性を与えることができる。
2017508227.tif 000002
【特許請求の範囲】
【請求項１】
物体との対話に基づいて制御可能なデバイスを制御するためのウェアラブルデバイスであって、
前記物体の近接を検出するためのデバイス検出ユニットと、
前記ウェアラブルデバイスを着用しているユーザの、前記物体との対話を示す動作を検出するための動作検出ユニットと、
前記物体の検出された前記近接及び前記物体との対話を示す前記動作に基づいて、前記制御可能なデバイスを制御するための制御コマンドを生成するための処理ユニットと、
前記制御コマンドを前記制御可能なデバイスに送信するための通信ユニットとを有するウェアラブルデバイス。
【請求項２】
前記動作検出ユニットが、前記ユーザの動きを検出するための運動センサを有する請求項１に記載のウェアラブルデバイス。
【請求項３】
前記デバイス検出ユニットが、前記物体の識別タグを検出するよう構成され、前記制御コマンドが、更に、前記物体の識別に基づく請求項１乃至２のいずれか一項に記載のウェアラブルデバイス。
【請求項４】
前記デバイス検出ユニットが、前記物体の特徴、及び／又は前記ウェアラブルデバイスを着用しているユーザの、前記物体との対話を示す前記動作を取得するために前記物体と通信するよう構成される無線送受信機を有し、前記制御コマンドが、更に、前記物体の前記特徴に基づく請求項１乃至３のいずれか一項に記載のウェアラブルデバイス。
【請求項５】
前記ウェアラブルデバイスが、ユーザの好みの設定を記憶するためのメモリを更に有し、前記処理ユニットが、前記ユーザの好みの設定に基づいて前記制御可能なデバイスを制御するための前記制御コマンドを生成するよう構成される請求項１乃至４のいずれか一項に記載のウェアラブルデバイス。
【請求項６】
前記デバイス検出ユニットが、前記物体の少なくとも一部の画像をキャプチャするためのカメラを更に有し、前記処理ユニットが、更に、前記画像に基づいて前記物体を識別するよう構成される請求項１乃至５のいずれか一項に記載のウェアラブルデバイス。
【請求項７】
前記通信ユニットが、中間通信デバイスを通して前記制御可能なデバイスに前記制御コマンドを送信するよう構成される請求項１乃至６のいずれか一項に記載のウェアラブルデバイス。
【請求項８】
前記ウェアラブルデバイスが、ユーザ入力を受け取るよう構成されるユーザインタフェースを更に有し、前記ユーザ入力が、
前記デバイス検出ユニット及び／又は前記動作検出ユニットによって検出される前記物体の選択及び／又は選択の確認、
前記制御可能なデバイスの選択及び／又は選択の確認、
前記制御可能なデバイスのためのユーザの好みの設定、並びに
前記制御コマンドのユーザ調節のうちの少なくとも１つを有する請求項１乃至７のいずれか一項に記載のウェアラブルデバイス。
【請求項９】
前記ユーザインタフェースが、タッチ感知デバイス、オーディオセンサ、運動センサ、及び前記ユーザ入力を受け取るための１つ以上のボタンを有するグループのうちの少なくとも１つを有する請求項８に記載のウェアラブルデバイス。
【請求項１０】
前記処理ユニットが、照明ユニットを制御するための制御コマンドを生成するよう構成される請求項１乃至９のいずれか一項に記載のウェアラブルデバイス。
【請求項１１】
物体との対話に基づいて制御可能なデバイスを制御する方法であって、
ウェアラブルデバイスを供給するステップと、
前記物体の、前記ウェアラブルデバイスへの近接を検出するステップと、
前記ウェアラブルデバイスを着用しているユーザの、前記物体との対話を示す動作を検出するステップと、
前記物体の、前記ウェアラブルデバイスへの前記近接の検出及び前記物体との対話を示す前記動作に基づいて、前記制御可能なデバイスを制御するための制御コマンドを生成するステップと、
前記制御可能なデバイスに前記制御コマンドを送信するステップとを有する方法。
【請求項１２】
請求項１乃至１０のいずれか一項に記載のウェアラブルデバイスと、
有線又は無線接続を通して前記ウェアラブルデバイスに接続されるよう適応されると共に、前記ウェアラブルデバイスを設定するよう構成されるプログラミングデバイスとを有するセット。
【発明の詳細な説明】
【技術分野】
【０００１】
本発明は、デバイスを制御するためのウェアラブルデバイスに関する。
【背景技術】
【０００２】
ウェアラブルユーザインタフェース、例えば、スマートブレスレット及びスマートリングが、市場においてリリースされている。これらのデバイスは、常にユーザと共にあるよう設計され、スマートフォン又はタブレットに接続され得る。これらのデバイスは、集積MEMSセンサ（例えば、加速度計及びジャイロスコープ）を介して着用者のジェスチャ及び動きを検出する能力のため、スマートデバイスとの対話に新しいパラダイムを与える。集積され得る他のセンサは、例えば、タッチ感知センサ、ボタン又はタッチスクリーンを介して、ユーザ入力のための可能性を与える。更に、これらのデバイスは、（例えば、Bluetooth（登録商標）若しくはZigBee（登録商標）を介して）他のデバイスに接続することができ、且つ／又は（例えば、WiFiを介して）インターネットに接続することができる。公開されている特許出願WO 2011011746 A1は、ジェスチャを検出し、前記ジェスチャからコマンドを特定し、前記コマンドを家庭用電子機器に送信するためのセンサを有するウェアラブルコンピューティングデバイスを開示している。
【０００３】
米国特許8 068 011 B1は、ハンドヘルドデバイス及びRFIDを対話形式でインタフェースするためのシステム及び方法に関する。前記方法は、RFIDリーダを含むHHDにおいて、RFID媒体とインタフェースをとるためのアプリケーションを起動するステップと、RFID媒体におけるコマンド又はメッセージの記憶に関するユーザ入力を受け取るステップと、受け取った前記ユーザ入力に基づいて1つ以上のコマンド又はメッセージを作成するステップと、前記RFIDリーダを用いてRFID媒体において前記１つ以上のコマンド又はメッセージを記憶するステップとを含む。
【０００４】
DE 10 2006 047568 A1は、制御デバイスのユーザのために、電気デバイスのための制御機能を、前記電気デバイスから直接、又は中央スイッチングユニットを介して、受信し、識別する制御デバイスの識別機構に関する。前記制御デバイスは、制御されることができる前記電気デバイスを示すインジケータを持つ。前記識別機構は、トランシーバ機構を介して前記電気デバイスに識別信号を放射する、又は前記ユーザに示される選択された前記電気デバイスの識別子を受信する。
【０００５】
米国特許出願2014/0266757 A1は、複数のRFトランシーバ、オーディオシステム及び近接検出システムを含み得るメディアデバイスに関する。前記RFトランシーバ及び／又はオーディオシステムは、メディアデバイス間で無線通信するために用いられてもよく、設定及び他のデータが或るメディアデバイスから別のメディアデバイスへ無線送信されることを可能にする。前記近接検出システムは、１人又は複数人のユーザの存在を検出すると共に、存在を検出すると、ユーザの好み及び／又は前記メディアデバイスのまわりの環境条件によって規定される何らかの動作をするよう構成され得る。前記メディアデバイスの近くの１つ以上のユーザデバイスが、前記メディアデバイスと無線通信してもよく、前記メディアデバイスは、それらのデバイスからの又はクラウド若しくはインターネットなどの無線でアクセス可能な場所からのコンテンツの処理を調整してもよい。
【発明の概要】
【発明が解決しようとする課題】
【０００６】
本発明の目的は、ウェアラブルデバイスによってデバイスを制御するための他の制御オプションを提供することである。
【課題を解決するための手段】
【０００７】
本発明の第１の態様によれば、前記目的は、物体との対話に基づいて制御可能なデバイスを制御するためのウェアラブルデバイスによって、達成される。前記ウェアラブルデバイスは、
−  前記物体の近接を検出するためのデバイス検出ユニットと、
−  前記ウェアラブルデバイスを着用しているユーザの、前記物体との対話を示す動作を検出するための動作検出ユニットと、
−  前記物体の検出された前記近接及び前記物体との対話を示す前記動作に基づいて前記制御可能なデバイスを制御するための制御コマンドを生成するための処理ユニットと、−  前記制御コマンドを前記制御可能なデバイスに送信するための通信ユニットとを有する。
【０００８】
前記ウェアラブルデバイスは、前記物体の存在を検出することによって、環境に関連する状況を評価し、前記制御可能なデバイスの制御パラメータを調節することができる。前記制御可能なデバイスの調節可能な制御パラメータは、調節可能な制御パラメータを備える任意のデバイスであり得る制御可能なデバイスのタイプに依存する。前記処理ユニットによって生成される前記制御コマンドは、前記制御可能なデバイスの前記制御パラメータに関する。 
【０００９】
前記ウェアラブルデバイスは、前記ウェアラブルデバイスを着用しているユーザの、前記物体との対話を示す動作を検出するための動作検出ユニットを更に有し、前記制御コマンドは、更に、前記物体との対話を示す前記動作に基づき得る。対話を示す前記動作は、例えば、前記ユーザの動きによる、前記物体を、つかむこと、ロック解除すること／開けること、オンに切り換えること、又は移動することを含み得る。前記動作検出ユニットからの情報は、前記処理ユニットによって受信され、それによって、前記物体の使用を決定するための前記対話についての情報を前記処理ユニットに供給する。前記動作検出ユニットは、運動検出センサ（例えば、加速度計及び／又はジャイロスコープ）を含むことができ、それによって、前記ウェアラブルデバイスを着用している前記ユーザの（例えば、デバイスを拾い上げる、デバイスをタップする）運動の検出を可能にする。前記制御コマンドは、更に、前記ユーザの、前記物体との対話に基づき得る。
【００１０】
実施例においては、前記ウェアラブルデバイスの前記デバイス検出ユニットは、更に、前記物体の識別タグを検出するよう構成され、前記制御コマンドは、更に、前記物体の識別に基づき得る。前記識別タグは、例えば、無線周波数検出可能タグであり得る。前記物体が、製造における識別タグを含まない場合には、改装ソリューションとして、前記ユーザが、前記物体にこのようなタグを付すことができてもよく、それによって、前記ウェアラブルデバイスの前記検出ユニットによる前記物体の検出及び識別を可能にする。このようなタグを用いることは、これらは、あらゆる物体に、そのハードウェア又はソフトウェアを変えずに、付され得ることから、有利である。
【００１１】
更に又は代わりに、前記ウェアラブルデバイスの前記デバイス検出ユニットは、前記物体の特徴を取得するために前記物体と通信するよう構成される無線送受信機を有することができ、前記制御コマンドは、更に、前記物体の前記特徴に基づき得る。前記物体と前記ウェアラブルデバイスとの間の通信リンクは、前記物体とのユーザ動作（若しくは対話）イベント及び／又は前記物体におけるユーザ入力に関する情報を、前記ウェアラブルデバイスがこれらの動作（若しくは対話）イベント及び／又はユーザ入力を検出することなしに、受け取るという他の利点を供給し、それによって、更に、この通信に基づいて、前記制御可能なデバイスを調節することを可能にする。例えば、前記ユーザが、前記物体においてユーザ入力を供給する場合には、前記物体における前記ユーザ入力に関連する新たな「使用状況」に基づいて前記制御可能なデバイスの設定を調節するために、調節された制御コマンドが、前記制御可能なデバイスに送信され得る。様々な無線通信プロトコル、例えば、Bluetooth（登録商標）、Wi-Fi（登録商標）又はZigBee（登録商標）が、用いられ得る。
【００１２】
実施例においては、前記ウェアラブルデバイスは、前記制御可能なデバイスの制御に関するユーザの好みの設定を記憶するためのメモリを更に有し、前記処理ユニットは、前記ユーザの好みの設定に基づいて前記制御可能なデバイスを制御するための前記制御コマンドを生成するよう構成される。前記ユーザの好みの設定は、例えば、無線通信を介して、又は前記ウェアラブルデバイスのユーザインタフェースを介して、前記メモリにアップロードされ得る。前記メモリは、更に、１つ以上の制御可能なデバイスの特徴及び／又は１つ以上の物体の特徴についての情報を記憶するよう構成され得る。この情報は、前記処理ユニットによって、前記制御可能なデバイス及び／又は前記物体を更に識別し、この更なるデバイスの識別に基づいて制御コマンドを生成するために用いられ得る。
【００１３】
実施例においては、前記ウェアラブルデバイスの前記デバイス検出ユニットは、前記物体の少なくとも一部の画像をキャプチャするためのカメラを更に有し、前記処理ユニットは、更に、前記画像に基づいて前記物体を識別するよう構成される。物体を、前記物体と通信せずに識別するために、画像コンテンツ認識法（例えば、コンテンツベースの画像検索）が、用いられてもよい。更に又は代わりに、前記カメラは、前記物体に取り付けられるクイックレスポンス（QR）コードを読み取るよう構成され得る。QRコード（登録商標）の利点は、これらは、あらゆる物体に、前記物体のハードウェア又はソフトウェアを変えずに、付されることができ、従って、あらゆる物体を、本開示において記載されているようなシステム及び／又は方法に適合するよう、改装又はアップグレードするために用いられ得ることである。
【００１４】
実施例においては、前記ウェアラブルデバイスの前記通信ユニットは、中間通信デバイスを通して前記制御可能なデバイスに前記制御コマンドを送信するよう構成され得る。前記中間通信デバイスは、前記ウェアラブルデバイスと、１つ以上の制御可能なデバイスとの間のブリッジ(bridge)として機能し得る。前記中間通信デバイスは、１つ以上のプリセットされた制御コマンド及び／又はユーザの好みの設定を記憶し得る。中間通信デバイスの使用は、それが、前記ウェアラブルデバイスと、複数の制御可能なデバイスとの間のインタフェースプラットホームも供給することができ、それによって、前記ウェアラブルデバイスの、複数の異なる制御可能なデバイスの全てと通信することができるという要件を取り除く点で、有利である。更に、前記中間通信デバイスは、インターネットに接続されることができ、制御コマンドを、遠く離れた制御可能なデバイスに送信することを可能にする。
【００１５】
実施例においては、前記ウェアラブルデバイスは、ユーザ入力を受け取るよう構成されるユーザインタフェースを有し、前記処理ユニットは、更に、前記ユーザインタフェースを介して前記ユーザから受け取られる前記ユーザ入力を処理するよう構成され得る。前記ユーザ入力は、例えば、前記ウェアラブルデバイスによって検出される前記物体の選択及び／又は選択の確認を含むことができ、それによって、前記ユーザが前記物体の前記検出を確認することを可能にする。前記ユーザ入力は、前記制御可能なデバイスの選択及び／又は選択の確認を含むことができ、それによって、前記ユーザが前記制御可能なデバイスとの接続を確認することを可能にする。前記ユーザ入力は、前記制御可能なデバイスのためのユーザの好みの設定を含み得る。前記ユーザ入力は、前記制御可能なデバイスのための制御コマンドの調節及び／又は作成を含み得る。前記ユーザインタフェースは、タッチパッド若しくはタッチスクリーンなどのタッチ感知デバイス、マイクなどのオーディオセンサ、ジェスチャを検出するための加速度計及び／若しくはジャイロスコープなどの運動センサ、並びに／又は前記ユーザ入力を受け取るための１つ以上のボタンを含み得る。前記ユーザインタフェースは、例えば、前記処理ユニットによって生成される、前記制御可能なデバイスのための制御コマンドを確認若しくは却下すること、又は前記制御可能なデバイスを制御するためのユーザの好みを設定することを可能にし得る。
【００１６】
本発明の第２の態様によれば、前記目的は、物体との対話に基づいて制御可能なデバイスを制御する方法によって、達成される。前記方法は、
−  ウェアラブルデバイスを供給するステップと、
−  前記物体の、前記ウェアラブルデバイスへの近接を検出するステップと、
−  前記ウェアラブルデバイスを着用しているユーザの、前記物体との対話を示す動作を検出するステップと、
−  前記物体の、前記ウェアラブルデバイスへの前記近接の検出、及びユーザの、前記物体との対話を示す前記動作に基づいて、前記制御可能なデバイスを制御するための制御コマンドを生成するステップと、
−  前記制御可能なデバイスに前記制御コマンドを送信するステップとを有する。
【００１７】
更に開示されているのは、上記のようなウェアラブルデバイスと、有線又は無線接続を通して前記ウェアラブルデバイスに接続されるよう適応されると共に、前記ウェアラブルデバイスを設定するよう構成されるプログラミングデバイスとを有するセットである。前記プログラミングデバイスは、ユーザ入力を受け取るよう構成されるユーザインタフェースを含むことができ、それによって、ユーザが、前記ウェアラブルデバイスのためのユーザの好みの設定を設定すること、及び／又は前記ウェアラブルデバイスのための制御コマンドを調節若しくは作成することを可能にする。前記ウェアラブルデバイスを設定するためにプログラミングデバイスを用いることの利点は、それは、前記ウェアラブルデバイスのユーザインタフェースの複雑さを減らし、又はそれどころか、このようなユーザインタフェースを不必要にし、それによって、前記ウェアラブルデバイスのコストを減らすことができることである。
【００１８】
開示されているデバイス及び方法の上記の及び更なる目的、特徴及び利点は、添付の図面に関するデバイス及び方法の実施例の以下の説明的且つ非限定的な詳細な記述を通してよりよく理解されるだろう。
【図面の簡単な説明】
【００１９】
【図１】物体との対話に基づいて制御可能なデバイスを制御するための本発明によるウェアラブルデバイスの実施例を概略的に示す。
【図２】中間デバイスを介した物体との対話に基づいて制御可能なデバイスを制御するための本発明によるウェアラブルデバイスの別の実施例を概略的に示す。
【図３】物体との対話に基づいて制御可能なデバイスを制御する方法を概略的且つ例示的に示す。
【図４ａ】ウェアラブルデバイス及びプログラミングデバイスを有するセットの実施例を示す。
【図４ｂ】ウェアラブルデバイス及びプログラミングデバイスを有するセットの実施例を示す。
【発明を実施するための形態】
【００２０】
図は、全て、概略的なものであり、必ずしも、縮尺通りではなく、一般に、本発明を説明するために必要である部分しか示しておらず、他の部分は、省かれている場合があり、又は単に示唆されている場合がある。
【００２１】
図１は、物体１０２との対話に基づいて制御可能なデバイス１０４を制御するための本発明によるウェアラブルデバイス１００の実施例を概略的に示している。ウェアラブルデバイス１００は、物体１０２の近接を検出するよう構成されるデバイス検出ユニット１０６と、物体１０２の検出された近接に基づいて制御可能なデバイス１０４を制御するための制御コマンドを生成するための処理ユニット１０８と、制御可能なデバイス１０４に制御コマンドを送信するための通信ユニット１１０とを有する。ウェアラブルデバイスは、ウェアラブルデバイス１００内の様々な構成要素に給電するためのバッテリ（図示せず）を更に有してもよい。図１の実施例においては、ウェアラブルデバイス１００は、任意の適切なウェアラブルデバイス１００であり得る。ウェアラブルデバイス１００のタイプ（例えば、ブレスレット、リング、眼鏡、手袋、ペンダントなど）は、ウェアラブルデバイス１００が用いられるだろう状況に関連して選択され得る。物体１０２との想定される対話オプションが、特定のウェアラブルデバイス１００の選択を決定し得る。例えば、物体１０２の、ユーザから或る距離のところでの故意の使用（例えば、テレビの視聴）は、物体１０２が近くで用いられるよう意図されている場合（例えば、電子書籍リーダにおける電子書籍の読書）と比べて異なる近接検出手段を必要とする。例示的な実施例において、ウェアラブルデバイス１００は、ブレスレットであってもよく、物体１０２は、電子書籍リーダであってもよく、制御可能なデバイス１０４は、照明装置であってもよい。この実施例においては、ブレスレットのデバイス検出ユニット１０６は、電子書籍リーダの近接を検出する。処理ユニット１０８は、電子書籍リーダの近接についての情報を受信する。これは、処理ユニットが制御コマンドを生成することを可能にし、制御コマンドは、電子書籍リーダの使用に適した照明設定を有し、前記照明コマンドは、ブレスレットの通信ユニット１１０を介して照明装置に送られ、それによって、電子書籍リーダを使用するのに適した照明設定を供給する。別の実施例においては、ウェアラブルデバイス１００は、視線を追跡する（即ち、ユーザの注視点及び／又はユーザの頭に対する目の動きを測定する）よう構成される検出ユニット１０６を有するスマートグラスであってもよい。これは、スマートグラスの検出ユニット１０６が、物体１０２の故意の使用（例えば、テレビの視聴）を決定することを可能にする。
【００２２】
ウェアラブルデバイス１００のデバイス検出ユニット１０６は、物体１０２の近接を検出するよう構成される。それ故、物体１０２は、ウェアラブルデバイス１００のデバイス検出ユニット１０６によって検出可能である必要がある。物体１０２は、例えば、ウェアラブルデバイス１００のRFIDリーダによって検出可能であり得る無線自動識別(RFID)タグを備えていてもよい。しかしながら、物体１０２は、任意の他の検出可能な手段１１８を備えていてもよく、又は明細書において後でより詳細に記載するような、検出ユニットによって、例えばカメラによって、検出され得る特性若しくは特徴を有していてもよい。
【００２３】
ウェアラブルデバイス１００の処理ユニット１０８は、前記処理ユニット１０８がデバイス検出ユニット１０６から受信する情報に基づいて制御コマンドを生成するよう構成される。デバイス検出ユニット１０６から受信される情報は、物体１０２の近接及び物体１０２の何らかの識別を含む。物体１０２の識別は、例えば、物体１０２のタイプについての情報を含んでいてもよく、それによって、物体１０２に関する故意のユーザ動作又は故意の使用の推定を可能にする。これは、処理ユニット１０８が、ユーザによる物体１０２の使用に適した、制御可能なデバイス１００のための制御コマンドを生成することを可能にし得る。例示的な実施例において、物体１０２は、ヘアドライヤであってもよく、前記ヘアドライヤは、デバイス検出ユニット１０６によって検出された後に、処理ユニット１０８によってヘアドライヤと識別されることができ、このことは、処理ユニット１０８が、故意の使用（髪を乾燥すること）を決定することを可能にする。これは、処理ユニット１０８が、ヘアドライヤの使用に適した、制御可能なデバイス１０４のための制御コマンドを生成することを可能にし得る。この例示的な実施例においては、制御可能なデバイス１０４は、例えば、髪を乾燥するのに適した照明条件を設定する制御コマンドを受信し得る照明システムであり得る。他の制御可能なデバイス１０４、例えば、表示機能を備えるスマートミラーも、髪を乾燥するための表示条件を設定する制御コマンドをウェアラブルデバイス１００から受信し得る。
【００２４】
ウェアラブルデバイス１００の通信ユニット１１０は、制御可能なデバイス１０４に制御コマンドを送信する送信機を有する。制御可能なデバイス１０４は、制御コマンドを受信するための受信器１２０を含み得る。別の実施例においては、ウェアラブルデバイス１００の送信機１０６及び制御可能なデバイス１０４の受信器１２０は、ウェアラブルデバイス１００と制御可能なデバイス１０４との間の双方向通信を可能にする送受信機であり得る。双方向通信の利点は、制御可能なデバイス１０４がウェアラブルデバイス１００に情報を供給し得ることであり得る。例えば、制御可能なデバイス１０４が、部屋の中の温度を設定する制御コマンドを受信するサーモスタットである場合、送受信機は、現在の温度についての情報をウェアラブルデバイス１００に送信してもよく、随意に、この情報をユーザに伝えてもよい。
【００２５】
他の実施例においては、ウェアラブルデバイス１００は、ウェアラブルデバイス１００を着用しているユーザの、物体１０２との対話を示す動作を検出するよう構成される動作検出ユニット１１２を更に有し、制御コマンドは、更に、物体１０２との対話を示す動作に基づく。動作検出ユニット１１２の利点は、前記動作検出ユニット１１２が、処理ユニット１０８が、更に、前記対話に基づいて、物体１０２の故意の使用を決定することを可能にし得ることである。例示的な実施例において、動作検出ユニット１１２は、運動センサ（例えば、加速度計及び／又はジャイロスコープ）を含んでもよく、対話を示す動作は、ユーザの動き（例えばジェスチャ）、及びそれによるユーザによって着用されているウェアラブルデバイス１００の動きを含み得る。処理ユニット１０８は、更に、動きを識別し、動きに基づいて制御コマンドを調節するよう構成され得る。動きは、例えば、ウェアラブルデバイス１００によって検出され得る（電気）ピアノの演奏であってもよく、前記ウェアラブルデバイス１００は、例えば、スマートリングであり得る。スマートリングの処理ユニット１０８は、動きを、（電気）ピアノの演奏と識別することができ、制御可能なデバイス１０４に、例えばテレビに、その音量を下げるようそれに命令する制御コマンドを送信し得る。他の例示的な実施例においては、動作検出ユニット１１２は、オーディオセンサ（例えばマイク）を更に含んでもよく、それによって、音の検出（例えば、物体１０２の起動の音又は物体１０２のスイッチをオンにする回転の音響学的特性の音声検出及び／又は認識）を可能にする。先の、（電気）ピアノを演奏する例においては、オーディオセンサは、ピアノの音を検出してもよく、それによって、処理ユニット１０８が、物体１０２の故意の使用（即ち、（電気）ピアノの演奏）を決定し、更に制御コマンドを前記決定に基づかせることを可能にする。
【００２６】
他の実施例においては、デバイス検出ユニット１０６は、更に、物体１０２の識別タグ１１８を検出するよう構成される。この実施例においては、物体１０２は、識別タグ１１８を備えている。タグ１１８は、物体１０２の少なくとも１つの特徴についての情報を含み、それによって、処理ユニット１０８が、物体１０２の特徴に基づいて制御コマンドを生成することを可能にする。当業界では知られている様々な識別方法、例えば、無線自動識別(RFID)又は近距離通信（NFC）が用いられ得る。適切な識別方法の選択は、ウェアラブルデバイス１００のデバイス検出ユニット１０６の検出範囲、タグの内部若しくは外部配置、及び／又はアクティブ若しくはパッシブタグの使用（即ち、バッテリ電源式若しくは非バッテリ電源式）に依存し得る。これらの無線周波数をベースにした方法の利点は、それらは、ユーザがデバイスにタグ１１８を取り付けることを可能にし、それによって、デバイスが、ウェアラブルデバイス１００のデバイス検出ユニット１０６によって検出可能になることを可能にする。これは、例えば、個人用のタグをベースにした制御コマンド又はユーザの好みの設定を作成するために、タグの設定を個人用にする可能性をもたらす。例示的な実施例においては、物体１０２は、例えば、ユーザによって識別タグが備え付けられ得るストーブであってもよく、それによって、デバイス検出ユニット１０６が、ストーブの近接を検出することを可能にする。これは、更に、処理ユニット１０８が、ストーブを識別し、この識別に基づいて制御コマンドを供給することを可能にする。制御コマンドは、例えば、換気フードに送信される「オン」コマンドを含み得る。
【００２７】
更に又は他の実施例においては、デバイス検出ユニット１０６は、物体１０２と通信するよう構成される無線送受信機を更に有し、無線送受信機は、物体１０２の特徴を取得するよう構成される。その場合、処理ユニット１０８は、更に、取得される物体１０２の特徴に基づいて、制御コマンドを生成し得る。物体１０２とウェアラブルデバイス１００との間の通信リンクは、物体１０２において入力されるユーザ入力をウェアラブルデバイス１００に伝える他の可能性を与え、それによって、制御可能なデバイス１０４の制御パラメータの、入力される特定のユーザ入力に合わせる調節を可能にする。ユーザが、同じ物体１０２において他のユーザ入力を入力する場合には、制御可能なデバイス１０４の設定を他のユーザ入力に合わせて調節するために他の制御コマンドが制御可能なデバイス１０４に送信され得る。物体１０２において入力されるユーザ入力は、更に、物体１０２の特定の使用を決定又は推定するために用いられてもよく、従って、それは、物体１０２の特定の使用を見越して制御可能なデバイス１０４の設定を調節するのに有利であり得る。当業界では知られている様々な無線通信技術、例えば、Bluetooth（登録商標）、Wi-Fi（登録商標）又はZigBee（登録商標）が用いられ得る。物体、ウェアラブルデバイス及び制御可能なデバイスの通信能力、無線技術のための通信ドライバの電力消費量、並びに／又は無線信号の通信範囲に基づいて、特定の通信技術が選択され得る。今日、多くの民生用の物体が、１つ以上の無線通信技術を既に備えており、このことは、ウェアラブルデバイス１００と、制御可能なデバイス１０４制御可能なデバイス１０４と、物体１０２との間の通信リンクを作成する手間を減らし得ることから、有利である。
【００２８】
他の実施例においては、ウェアラブルデバイス１００は、メモリ１１４を更に有する。メモリ１１４は、例えば、好ましい読書灯設定又は好ましい読書のバックグラウンドミュージック、好ましいテレビ視聴用照明雰囲気などに関し得る、ユーザの好みの設定を記憶するよう構成され得る。メモリ１１４は、更に、１つ以上の物体１０２についての情報（例えば、電子書籍リーダのデフォルトのコントラスト、部屋の中のテレビの位置など）と、１つ以上の制御可能なデバイス１０４の制御パラメータ（例えば、照明システムの制御パラメータ、電子椅子の制御オプションなど）とを記憶するよう構成され得る。制御コマンドは、更に、ユーザの好みの設定、並びに制御可能なデバイス１０４及び物体１０２についての情報に基づき得る。１つ以上の物体１０２についての情報を、ウェアラブルデバイス１００のメモリ１１４に記憶することの利点は、例えば、ウェアラブルデバイス１００で検出されるユーザの動作（又は対話）に関するデバイス使用法情報又は物体１０２のデフォルトの設定を取得するために物体１０２で必要とされる明示的コミュニケーションがないことである。１つ以上の制御可能なデバイス１０４の制御パラメータに関する情報をウェアラブルデバイス１００のメモリ１１４に記憶させることの利点は、ウェアラブルデバイス１００の処理ユニット１０８が、１つ以上の制御可能なデバイス１０４によって効果的に実行可能である制御コマンドを決定することができ、それによって、実現されることができない制御コマンドの通信の発生を防止する、例えば、調光される白色光しか供給することができない光源への色調節コマンドの送信を防止することである。メモリ１１４には、例えば、他のデバイス（例えば、スマートフォン若しくはPC）を介して、又はウェアラブルデバイス１００のユーザインタフェースを介して、ユーザの好みの設定がアップロードされ得る。
【００２９】
他の実施例においては、デバイス検出ユニット１０６は、物体１０２の少なくとも一部の画像をキャプチャするよう構成されるカメラを更に有する。カメラは、画像を自動的にキャプチャしてもよく、又は画像をキャプチャするためのトリガとして用いられ得るユーザ入力を示すもの（例えば、ユーザの動き）をキャプチャしてもよい。処理ユニット１０８は、更に、カメラによってキャプチャされる画像に基づいて物体１０２を識別するよう構成され得る。コンテンツベースの画像検索(CBIR)は、当業界では知られている方法であり、CBIRにおいては、画像から視覚データが引き出され、前記視覚データが、データベースからの一連の画像の視覚データと比較され、同様の画像に関するキーワードに基づいて、画像のコンテンツが決定される。実施例においては、ウェアラブルデバイス１００は、カメラによってキャプチャされる画像をネットワークにアップロードしてもよく、CBIRは、例えば、リモートサーバにおいて実行されてもよく、それによって、ウェアラブルデバイス１００の処理ユニット１０８の必要とされる計算能力を下げる。その場合、物体１０２の特徴及び／又はデバイス識別は、ネットワークからウェアラブルデバイス１００にダウンロードされ得る。カメラと組み合わせて用いられ得る他の技術は、クイックレスポンス（QR）コード認識である。物体１０２は、カメラによって読み取られ得るQRコード（登録商標）を備えていてもよく、それによって、処理ユニット１０８が、物体１０２の特徴をQRコード（登録商標）から決定することを可能にする。QRコード（登録商標）が物体１０２の識別コードしか含まない場合には、ウェアラブルデバイス１００は、識別コードを、ネットワーク、例えば、リモートサーバにアップロードし、識別された物体１０２の特徴に関する情報をネットワークから取り出してもよい。QRコード（登録商標）の利点は、QRコード（登録商標）は、単に、デバイスにQRコード（登録商標）を取り付けることによって、あらゆる物体を検出可能にする可能性を与えることである。物体１０２、例えば、食卓に、QRコード（登録商標）が設けられてもよく、それによって、ウェアラブルデバイス１００の検出ユニット１０６による検出を可能にする。QRコード（登録商標）は、それを処理ユニット１０８によって識別可能にするようユーザによって構成されることができ、処理ユニット１０８が、物体１０２が、例えば、食卓であると決定し、食卓との対話に基づいて制御コマンド（例えば、雰囲気生成システムに送られる、食事の雰囲気を生成する制御コマンド）を生成することを可能にする。検出できない物体１０２を検出可能な物体１０２にアップグレードする可能性を与える以外に、ユーザは、例えば、QRコード（登録商標）の読み取りから個人用の制御コマンド又は好みの設定をもたらすために、前記ユーザ自身のQRコード（登録商標）を構成／作成し、前記QRコード（登録商標）を印刷し、物体に取り付け得る。
【００３０】
図２に示されているウェアラブルデバイス１００の別の実施例においては、通信ユニット１１０が、中間通信デバイス２００を介して制御可能なデバイス１０４に制御コマンドを送信するよう構成される。中間通信デバイス２００、例えば、ブリッジは、他の制御コマンド及び／又は他のユーザの好みの設定を記憶するよう構成され得る。それ故、中間通信デバイス２００は、ウェアラブルデバイス１００及び制御可能なデバイスと通信するよう構成される送受信機２０２と、制御コマンド及び／又は他のユーザの好みの設定を記憶するよう構成されるメモリユニット（図示せず）とを含み得る。中間デバイス２００は、ウェアラブルデバイス１００の通信ユニット１１０からの制御コマンドに基づいて、どの制御コマンドが制御可能なデバイス１０４に送信されるかを決定する。他の実施例においては、中間デバイス２００及び／又はウェアラブルデバイス１００は、インターネット、並びに／又は他の制御コマンド及び／若しくは他のユーザの好みの設定が記憶されるリモートサーバに接続され得る。情報を記憶するために中間通信デバイス２００又はリモートサーバを用いることは、ウェアラブルデバイス１００の計算能力を減らし得る。中間通信デバイス２００は、更に、制御可能なデバイスのネットワーク（例えば、Philips Hue照明ネットワーク、DALI照明ネットワーク又はホーム・オートメーション・ネットワーク）にゲートウェイを供給するよう構成され得る。中間通信デバイス２００は、更に、抽象的な制御コマンドを受信するよう構成されることができ、中間通信デバイス２００は、１つ以上の制御可能なデバイス１０４に１つ以上の他の制御コマンドを送信する。例えば、ウェアラブルデバイス１００のデバイス検出ユニット１０６がテレビとの対話を識別する場合、処理ユニット１０８は、制御コマンド、例えば、「テレビ設定」を生成することができ、これは、中間通信デバイス２００によって受信され、例えば、「カーテン閉鎖」に変換されてカーテン制御装置に送信される、且つ／又は「タスクライト・オフ」に変換されて照明システムに送信される、且つ／又は「サラウンドサウンド・オン」に変換されてサラウンドサウンドシステムに送信される。中間通信デバイス２００の使用の利点は、ウェアラブルデバイス１００の接続プロトコルの数が減らされることができ、それによって、ウェアラブルデバイス１００の複雑さ及びコストを減らすことである。他の実施例においては、中間通信デバイス２００は、ウェアラブルデバイスを設定するためのユーザインタフェースを含み得る。中間通信デバイスは、例えば、ユーザ入力を可能にするタッチスクリーンを有し、ウェアラブルデバイス１００を設定するよう構成されるソフトウェアアプリケーションを更に有するスマートフォンであり得る。スマートフォンは、更に、直接、又はローカルネットワークを介して及び／若しくはインターネットを介して、１つ以上の制御可能なデバイス１０４に接続するよう構成され得る。ユーザインタフェースを備える中間通信デバイス２００の使用は、ウェアラブルデバイス１００の複雑さ及びコストを減らし得ることから、有利であり得る。
【００３１】
他の実施例においては、ウェアラブルデバイス１００は、ユーザ入力を受け取るよう構成されるユーザインタフェース１１６を更に有する。処理ユニット１０８は、更に、ユーザからユーザインタフェース１１６を介して受け取られるユーザ入力を処理するよう構成され得る。ユーザ入力は、例えば、ウェアラブルデバイス１００によって検出される物体１０２の選択及び／又は選択の確認を含むことができ、それによって、ユーザが物体１０２の検出を確認することを可能にする。ユーザ入力は、例えば、制御可能なデバイス１０４の選択及び／又は選択の確認を含むことができ、それによって、ユーザが制御可能なデバイス１０４との接続を確認することを可能にする。ユーザ入力は、制御可能なデバイス１０４のためのユーザの好みの設定を含み得る。ユーザ入力は、制御可能なデバイス１０４のための制御コマンドの調節及び／又は作成を含み得る。ユーザインタフェース１１６は、例えば、タッチ感知デバイス、オーディオセンサ、運動センサ、及び／又はユーザ入力を受け取るための１つ以上のボタンを含み得る。タッチ感知デバイスは、例えば、タッチパッド又はタッチスクリーンであり得る。このタッチ感知デバイス及び／又は１つ以上のボタンは、ユーザが上述のユーザ入力動作のいずれかを実施することを可能にする。他のタイプのユーザ入力は、ウェアラブルデバイス１００を着用しているユーザの動きを含むことができ、ユーザが、例えば、ジェスチャ、タップすること及び／又は手を振ることを介して、ユーザ入力を供給することを可能にする。動きは、遠隔デバイス（例えば、カメラ）によって検出されてもよく、又はウェアラブルデバイス１００内の動作検出ユニット１１２（例えば、加速度計及び／又はジャイロスコープ）によって検出されてもよい。他の実施例においては、動作検出ユニット１１２によって検出されるユーザ入力が、ジェスチャを介して制御可能なデバイス１０４に制御コマンドを送信する他の可能性を与え得る一方で、前記ジェスチャは、物体１０２に関連しない（例えば、ラップトップコンピュータ（物体）において仕事中の、サーモスタット（制御可能なデバイス）のための、室温を上げるための制御コマンドを作成するためのジェスチャ）。この実施例においては、ウェアラブルデバイス１００の処理ユニット１０８は、制御可能なデバイス１０４のタイプについての情報、及び物体１０２のタイプについての情報を有することができ、それによって、制御コマンドがどのデバイスのためのものであるかを処理ユニット１０８が決定することを可能にする。他のタイプのユーザ入力は、オーディオセンサによって受け取られる音声コマンド又は他の音響コマンド（例えば、手をたたく音又は他のデバイスによって発せられる音）を含み得る。オーディオセンサは、ウェアラブルデバイス１００自体に含まれていてもよく、又は他のデバイス（例えば、ウェアラブルデバイス１００が通信し得るビル管理システムのセンサネットワーク）の中に配置されてもよい。音声コマンドを介して供給されるユーザ入力は、タッチ感知デバイスを介して、及び／又はボタンを介して、及び／又は動きを介して供給されるユーザ入力と組み合わされ得る。
【００３２】
他の実施例においては、ウェアラブルデバイス１００は、更に、ユーザフィードバックを供給するよう構成される。この実施例においては、ウェアラブルデバイス１００は、例えば、触覚フィードバックをユーザに供給するよう構成される振動ユニット、視覚フィードバックをユーザに供給するよう構成されるディスプレイ及び／若しくは光源、並びに／又は聴覚フィードバックをユーザに供給するためのオーディオ出力ユニットを更に含み得る。ユーザフィードバックは、例えば、ユーザインタフェース１１６を介してユーザ入力が検出されるとき、デバイス検出ユニット１０６によって物体１０２が検出されるとき、及び／又は動作検出ユニット１１２によって対話が検出されるときに、供給され得る。
【００３３】
他の実施例においては、ユーザインタフェース１１６は、ユーザ入力の解釈及び／又はユーザ情報の供給に関して、制御可能なデバイス１０４の特徴に適応可能であり得る。制御可能なデバイス１０４の特徴は、例えば、タッチ感知デバイス、１つ以上のボタン、音声コマンド、及び／又は動き関連ユーザ入力の動作を決定し得る。このことは、例えば、動作検出ユニット１１２によって検出される動きが、第１タイプの制御可能なデバイス（例えば、照明器具）には、第２タイプの制御可能なデバイス（例えば、テレビ）とは異なる制御コマンドを供給し得ることをもたらし得る。
【００３４】
他の実施例においては、ウェアラブルデバイスは、更に、位置決めシステム（例えば、符号化光システム若しくはRFID三辺測量システムによる屋内位置決めシステム、又は例えば、GPSシステムによる屋外位置決めシステム）によって識別されるよう構成されることができ、制御コマンドは、更に、ウェアラブルデバイスの位置に基づくことができ、それによって、ユーザの位置に基づくことができる。例示的な実施例においては、デバイス検出ユニット１０６は、電子書籍リーダの近接を検出することができ、処理ユニットは、ユーザが居間の隅に位置するという信号を屋内位置決めシステムから受信することができ、それによって、例えば、電子書籍リーダにおいて電子書籍を読むのに適した照明状態をもたらすよう居間の隅の照明設定を調節する制御コマンドを生成する。
【００３５】
図３は、制御可能なデバイス１０４を、物体１０２との対話に基づいて、制御する本発明による方法３００を概略的且つ例示的に示している。方法３００は、
−  ウェアラブルデバイス１００を供給するステップ３０２であって、ウェアラブルデバイス１００のタイプ（例えば、スマートリング、ブレスレット、時計又は眼鏡）は、特定の実施例又は使用事例に依存するステップ３０２と、
−  ウェアラブルデバイス１００によって、物体１０２の、ウェアラブルデバイス１００への近接を検出するステップ３０４であって、前記検出は、物体のタイプに関する情報を既に含んでいてもよいステップ３０４と、
−  近接の検出及び物体１０２のタイプに基づいて制御可能なデバイス１０４を制御するための制御コマンドを生成するステップ３０８と、
−  制御コマンドに従って制御可能なデバイス１０４の少なくとも１つの制御パラメータを調節するよう制御可能なデバイス１０４に制御コマンドを送信するステップ３１０とを有する。
【００３６】
他の実施例においては、図３の方法は、ウェアラブルデバイス１００を着用しているユーザの、物体１０２との対話を示す動作を検出する付加的なステップ３０６を有し、制御コマンドは、更に、対話を示す動作に基づく。結果として、制御の生成は、ウェアラブルデバイス１００の近くの物体１０２のタイプ又は特徴、及びユーザの、物体１０２との任意の対話を考慮に入れる。
【００３７】
図４ａ及び４ｂは、（ウェアラブルデバイス１００の上述の実施例のいずれかに従う）ウェアラブルデバイス１００と、プログラミングデバイス４０２、４０４とを有するセットの実施例を示している。プログラミングデバイス４０２、４０４は、（例えば、無線送受信機又はUSB接続を介する）有線又は無線接続を通してウェアラブルデバイス１００に接続するよう構成される。プログラミングデバイス４０２、４０４は、更に、ウェアラブルデバイス１００を設定するよう構成され得る。プログラミングデバイス４０２、４０４は、ユーザ入力を受け取るよう構成されるインタフェースを有することができ、それによって、ユーザが、ウェアラブルデバイス１００のためのユーザの好みの設定を設定すること、ウェアラブルデバイス１００によって生成されるデフォルトの制御コマンドを調節すること、及び／又は制御コマンドを作成することを可能にする。ユーザの好みの設定及び制御コマンドは、（制御可能なデバイス１０４の上述の実施例のいずれかに従う）特定の制御可能なデバイス１０４及び（物体１０２の上述の実施例のいずれかに従う）特定の物体１０２に対して予め設定され得る。ユーザの好みの設定及び制御コマンドは、内部メモリ又は（例えば、リモートサーバ又は遠隔デバイス上の）外部メモリに記憶され得る。ウェアラブルデバイス１００を設定するためにプログラミングデバイス４０２、４０４を用いることの利点は、それは、例えば、幅広いユーザインタフェースのハードウェア及びソフトウェアがウェアラブルデバイス１００に搭載されるのを防止することにより、ウェアラブルデバイス１００の複雑さを減らし、それによって、ウェアラブルデバイス１００のコストを減らすことができることである。プログラミングデバイス４０２、４０４の他の利点は、それが、ウェアラブルデバイス１００に新しいソフトウェアをインストールするために、又はウェアラブルデバイス１００のソフトウェアをアップデートするために、用いられ得ることである。
【００３８】
図４ａは、プログラミングデバイス４０２が無線接続（例えば、Bluetooth（登録商標）、Wi-Fi（登録商標）又はZigBee（登録商標））を通して接続される外部デバイス（例えば、スマートフォン又はPC）であるセットの実施例を示している。随意に、ウェアラブルデバイス１００は、有線接続（例えば、USB）を通してプログラミングデバイスに接続されることもでき、それによって、場合により、両デバイス間のデータ転送を供給する、及び／又はウェアラブルデバイス１００のバッテリの充電を供給する。
【００３９】
図４ｂは、プログラミングデバイス４０４がウェアラブルデバイス１００のためのドッキングステーションとして機能するセットの実施例を示している。ドッキングステーションは、両デバイス間の無線又は有線データ転送を供給することができ、更に、ウェアラブルデバイス１００のバッテリの充電を供給することができる。
【００４０】
上記の実施例は、本発明を限定するものではなく、説明するものであって、当業者は、添付の請求項の範囲から逸脱せずに多くの別の実施例を設計することができるであろうことに注意されたい。
【００４１】
請求項において、括弧内に配置されるいかなる参照符号も、請求項を限定するものとして解釈されるべきではない。「有する」という動詞及びその語形変化の使用は、請求項において明記されている要素又はステップ以外の要素又はステップの存在を除外しない。要素の単数形表記は、このような要素の複数の存在を除外しない。本発明は、幾つかの別個の素子を有するハードウェアによって実施されてもよく、適切にプログラムされたコンピュータ又は処理ユニットによって実施されてもよい。幾つかの手段を挙げている装置の請求項においては、これらの手段の幾つかは、ハードウェアの同一のアイテムによって実施されてもよい。単に、特定の手段が、相互に異なる従属請求項において引用されているという事実は、これらの手段の組み合わせが有利になるように用いられることができないことを示すものではない。
【図１】
2017508227.tif 000003
【図２】
2017508227.tif 000004
【図３】
2017508227.tif 000005
【図４ａ】
2017508227.tif 000006
【図４ｂ】
2017508227.tif 000007
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
物体との対話に基づいて制御可能なデバイスを制御するためのウェアラブルデバイスであって、
前記物体の近接を検出するためのデバイス検出ユニットと、
前記ウェアラブルデバイスを着用しているユーザの、前記物体との対話を示す動作を検出するための動作検出ユニットと、
前記デバイス検出ユニットから前記物体の識別を含む情報を受信し、前記物体の検出された前記近接、前記物体の前記識別、及び前記物体との対話を示す前記動作に基づいて、前記制御可能なデバイスを制御するための制御コマンドを生成するための処理ユニットと、
前記制御コマンドを前記制御可能なデバイスに送信するための通信ユニットとを有するウェアラブルデバイス。
【請求項２】
前記動作検出ユニットが、前記ユーザの動きを検出するための運動センサを有する請求項１に記載のウェアラブルデバイス。
【請求項３】
前記デバイス検出ユニットが、前記物体の識別タグを検出するよう構成され、前記制御コマンドが、更に、前記物体の識別に基づく請求項１乃至２のいずれか一項に記載のウェアラブルデバイス。
【請求項４】
前記デバイス検出ユニットが、前記物体の特徴、及び／又は前記ウェアラブルデバイスを着用しているユーザの、前記物体との対話を示す前記動作を取得するために前記物体と通信するよう構成される無線送受信機を有し、前記制御コマンドが、更に、前記物体の前記特徴に基づく請求項１乃至３のいずれか一項に記載のウェアラブルデバイス。
【請求項５】
前記ウェアラブルデバイスが、ユーザの好みの設定を記憶するためのメモリを更に有し、前記処理ユニットが、前記ユーザの好みの設定に基づいて前記制御可能なデバイスを制御するための前記制御コマンドを生成するよう構成される請求項１乃至４のいずれか一項に記載のウェアラブルデバイス。
【請求項６】
前記デバイス検出ユニットが、前記物体の少なくとも一部の画像をキャプチャするためのカメラを更に有し、前記処理ユニットが、更に、前記画像に基づいて前記物体を識別するよう構成される請求項１乃至５のいずれか一項に記載のウェアラブルデバイス。
【請求項７】
前記通信ユニットが、中間通信デバイスを通して前記制御可能なデバイスに前記制御コマンドを送信するよう構成される請求項１乃至６のいずれか一項に記載のウェアラブルデバイス。
【請求項８】
前記ウェアラブルデバイスが、ユーザ入力を受け取るよう構成されるユーザインタフェースを更に有し、前記ユーザ入力が、
前記デバイス検出ユニット及び／又は前記動作検出ユニットによって検出される前記物体の選択及び／又は選択の確認、
前記制御可能なデバイスの選択及び／又は選択の確認、
前記制御可能なデバイスのためのユーザの好みの設定、並びに
前記制御コマンドのユーザ調節のうちの少なくとも１つを有する請求項１乃至７のいずれか一項に記載のウェアラブルデバイス。
【請求項９】
前記ユーザインタフェースが、タッチ感知デバイス、オーディオセンサ、運動センサ、及び前記ユーザ入力を受け取るための１つ以上のボタンを有するグループのうちの少なくとも１つを有する請求項８に記載のウェアラブルデバイス。
【請求項１０】
前記処理ユニットが、照明ユニットを制御するための制御コマンドを生成するよう構成される請求項１乃至９のいずれか一項に記載のウェアラブルデバイス。
【請求項１１】
物体との対話に基づいて制御可能なデバイスを制御する方法であって、
ウェアラブルデバイスを供給するステップと、
前記物体の、前記ウェアラブルデバイスへの近接を検出するステップと、
前記ウェアラブルデバイスを着用しているユーザの、前記物体との対話を示す動作を検出するステップと、
前記物体の識別を含む情報を受信するステップと、
前記物体の検出された前記近接、前記物体の前記識別、及び前記物体との対話を示す前記動作に基づいて、前記制御可能なデバイスを制御するための制御コマンドを生成するステップと、
前記制御可能なデバイスに前記制御コマンドを送信するステップとを有する方法。
【請求項１２】
請求項１乃至１０のいずれか一項に記載のウェアラブルデバイスと、
有線又は無線接続を通して前記ウェアラブルデバイスに接続されるよう適応されると共に、前記ウェアラブルデバイスを設定するよう構成されるプログラミングデバイスとを有するセット。
【国際調査報告】
2017508227.tif 000008
2017508227.tif 000009